(57)【要約】      （修正有）【課題】左右方向のスライド移動だけで建物間に設置することができ、地震等で前後左右方向に左右の建物が揺れ動いてもスムーズにスライド移動して、動きを吸収し、損傷を防止する壁用目地装置を得る。【解決手段】左右の建物3の目地部2側の壁躯体3aに取付けられた左右の回動ホルダー8と、この左右の回動ホルダーに両端部が枢支された中央維持リンク11と、この中央枢支部10に枢支された支柱13と、目地部のほぼ４分の１を覆う左右の固定目地カバー16と、固定目地カバーの先端部が入り込めるようにスライド移動可能に取付けられた複数個の左右のスライド体19と、左方向、右方向にスライドするものにそれぞれ後端部が取付けられた左右のスライド目地カバー22と、支柱の前面に固定された目地カバーの先端部を除く部位を覆う中央固定目地カバー25と、左右のスライド目地カバーを常時収納方向に付勢する左右の付勢機構27とで壁用目地装置を構成している。【選択図】図３
2005042467.tif 000002
【特許請求の範囲】
【請求項１】
目地部を介して設置された左右の建物の目地部側の壁躯体に取付具を介して前後方向に回動可能に取付けられた左右の回動ホルダーと、この左右の回動ホルダーに少なくとも２個以上両端部が枢支された伸縮可能な中央枢支部が常時前記目地部の中央部に位置する中央維持リンクと、この少なくとも２個以上の中央維持リンクの背面に位置するように前記中央枢支部に枢支された支柱と、前記左右の回動ホルダーに後端部が取付けられ、前記目地部のほぼ４分の１を前記少なくとも２個以上の中央維持リンクの前面に支持されるように覆う先端部の所定部位に前方へ突出するストッパ片が形成された左右の固定目地カバーと、前記支柱の前面で前記左右の固定目地カバーのストッパ片の位置していない部位に、該左右の固定目地カバーの先端部が入り込めるように左右方向にスライド移動可能に取付けられた複数個の左右のスライド体と、この左右のスライド体の左方向、右方向にスライドするものにそれぞれ後端部が取付けられた先端部に前記左右の固定目地カバーのストッパ片と係止する係止片を有する左右のスライド目地カバーと、前記支柱の前面に固定された複数個の支持片にほぼ中央部が固定された前記左右のスライド目地カバーの先端部を除く部位を覆う中央固定目地カバーと、前記左右のスライド体あるいは左右のスライド目地カバーを常時収納方向に付勢する左右の付勢機構とからなることを特徴とする壁用目地装置。
【請求項２】
目地部を介して設置された左右の建物の目地部側の壁躯体に取付具を介して前後方向に回動可能に取付けられた左右の回動ホルダーと、この左右の回動ホルダーに少なくとも２個以上両端部が枢支された四角枠が２個形成されたパンタグラフ形状の伸縮可能な中央枢支部が常時前記目地部の中央部に位置する中央維持リンクと、この少なくとも２個以上の中央維持リンクの背面に位置するように前記中央枢支部に枢支された支柱と、前記左右の回動ホルダーに後端部が取付けられ、前記目地部のほぼ４分の１を前記少なくとも２個以上の中央維持リンクの前面に支持されるように覆う、先端部の所定部位に前方へ突出するストッパ片が形成された左右の固定目地カバーと、前記支柱の前面で前記左右の固定目地カバーのストッパ片の位置していない部位に、該左右の固定目地カバーの先端部が入り込める支持台を介して固定されるガイドレールに左右方向にスライド移動可能に取付けられた複数対の左右のスライド体と、この複数対の左右のスライド体の左方向、右方向にスライドするものにそれぞれ後端部が固定された先端部に、前記左右の固定目地カバーのストッパ片と係止する係止片を有する左右のスライド目地カバーと、前記支柱の前面に固定された複数個の支持片にほぼ中央部が固定された、前記左右のスライド目地カバーの先端部を除く部位を覆う中央固定目地カバーと、前記複数対の左右のスライド体を前記左右のスライド目地カバーを常時収納方向に付勢スプリングを用いて付勢する左右の付勢機構とからなることを特徴とする壁用目地装置。
【発明の詳細な説明】
【技術分野】
【０００１】
本発明は目地部を介して設置された左右の建物の内壁面や外壁面等の壁面間を覆う壁用目地装置に関する。
【背景技術】
【０００２】
従来、左右の建物の壁面間に設置する壁用目地装置は、目地部が狭くなると中央部を内側へ突出させて、その揺れ動きを吸収する構造になっている。
【０００３】
したがって、従来の壁用目地装置は左右方向にスライド移動させる機構と、前後方向にスライド移動させる機構を用いているため、構造が複雑で、コスト高になるとともに、そのスライド移動をスムーズにさせづらいという欠点があった。
【特許文献１】特開２０００―１９２５５８号公報
【発明の開示】
【発明が解決しようとする課題】
【０００４】
本発明は以上のような従来の欠点に鑑み、左右方向のスライド移動だけで左右の建物間に設置することができる、地震等で異なる前後左右方向に左右の建物が揺れ動いてもスムーズにスライド移動して、その揺れ動きを吸収し、損傷を防止することができる壁用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設置された左右の建物の目地部側の壁躯体に取付具を介して前後方向に回動可能に取付けられた左右の回動ホルダーと、この左右の回動ホルダーに少なくとも２個以上両端部が枢支された伸縮可能な中央枢支部が常時前記目地部の中央部に位置する中央維持リンクと、この少なくとも２個以上の中央維持リンクの背面に位置するように前記中央枢支部に枢支された支柱と、前記左右の回動ホルダーに後端部が取付けられ、前記目地部のほぼ４分の１を前記少なくとも２個以上の中央維持リンクの前面に支持されるように覆う先端部の所定部位に前方へ突出するストッパ片が形成された左右の固定目地カバーと、前記支柱の前面で前記左右の固定目地カバーのストッパ片の位置していない部位に、該左右の固定目地カバーの先端部が入り込めるように左右方向にスライド移動可能に取付けられた複数個の左右のスライド体と、この左右のスライド体の左方向、右方向にスライドするものにそれぞれ後端部が取付けられた先端部に前記左右の固定目地カバーのストッパ片と係止する係止片を有する左右のスライド目地カバーと、前記支柱の前面に固定された複数個の支持片にほぼ中央部が固定された前記左右のスライド目地カバーの先端部を除く部位を覆う中央固定目地カバーと、前記左右のスライド体あるいは左右のスライド目地カバーを常時収納方向に付勢する左右の付勢機構とで壁用目地装置を構成している。
【発明の効果】
【０００７】
以上の説明から明らかなように、本発明にあっては次に列挙する効果が得られる。
【０００８】
（１）目地部を介して設置された左右の建物の目地部側の壁躯体に取付具を介して前後方向に回動可能に取付けられた左右の回動ホルダーと、この左右の回動ホルダーに少なくとも２個以上両端部が枢支された伸縮可能な中央枢支部が常時前記目地部の中央部に位置する中央維持リンクと、この少なくとも２個以上の中央維持リンクの背面に位置するように前記中央枢支部に枢支された支柱と、前記左右の回動ホルダーに後端部が取付けられ、前記目地部のほぼ４分の１を前記少なくとも２個以上の中央維持リンクの前面に支持されるように覆う先端部の所定部位に前方へ突出するストッパ片が形成された左右の固定目地カバーと、前記支柱の前面で前記左右の固定目地カバーのストッパ片の位置していない部位に、該左右の固定目地カバーの先端部が入り込めるように左右方向にスライド移動可能に取付けられた複数個の左右のスライド体と、この左右のスライド体の左方向、右方向にスライドするものにそれぞれ後端部が取付けられた先端部に前記左右の固定目地カバーのストッパ片と係止する係止片を有する左右のスライド目地カバーと、前記支柱の前面に固定された複数個の支持片にほぼ中央部が固定された前記左右のスライド目地カバーの先端部を除く部位を覆う中央固定目地カバーと、前記左右のスライド体あるいは左右のスライド目地カバーを常時収納方向に付勢する左右の付勢機構とで構成されているので、左右のスライド目地カバーが左右方向にスライド移動して、目地部が狭くなったり、広くなったりする地震等での左右の建物の揺れ動きを吸収することができる。
したがって、左右のスライド目地カバーの左右方向のスライド移動だけでよく、スムーズに移動させることができ、異なる左右方向の揺れ動きをスムーズに吸収できる。
【０００９】
（２）前記(１)によって、左右の建物の異なる前後方向の揺れ動きを左右の回動ホルダーの回動によって吸収することができる。
【００１０】
（３）前記(１)によって、左右の固定目地カバーは中央維持リンクに支持され、先端部は左右のスライド目地カバーの先端部と係止され、該左右のスライド目地カバーは中央固定目地カバーで先端部を除く部位を覆っているので、左右の固定目地カバーの先端部および左右のスライド目地カバーの先端部がバタついたりするのを効率よく阻止することができる。
【００１１】
（４）前記(１)によって、小さな幅寸法の左右の固定目地カバー、左右のスライド目地カバーおよび中央固定目地カバーを用いることができる。
したがって、輸送や設置作業を容易に行なうことができる。
【００１２】
（５）請求項２も前記(１)〜(４)と同様な効果が得られる。
【発明を実施するための最良の形態】
【００１３】
以下、図面に示す本発明を実施するための最良の形態により、本発明を詳細に説明する。
【００１４】
図１ないし図１１に示す本発明を実施するための最良の第１の形態において、１は目地部２を介して設置された左右の建物３、３の内壁あるいは外壁、本実施の形態では内壁躯体３ａ、３ａ間で床用目地装置４と天井用目地装置５間の目地部２を覆う本発明の壁用目地装置で、この壁用目地装置１は前記左右の建物3、３の目地部側の内壁躯体３ａ、３ａに複数本のビス６等によって固定される複数個の取付具７、７を介して前後方向に回動可能に取付けられた左右の回動ホルダー８、８と、この左右の回動ホルダー８、８に少なくとも２個以上、両端部が枢支ピン９、９で枢支された四角枠が２個形成されたパンタグラフ形状の伸縮可能な中央枢支部１０が常時前記目地部２の中央部に位置する中央維持リンク１１、１１と、この少なくとも２個以上の中央維持リンク１１、１１の背面に位置するように前記中央枢支部１０、１０に枢支ピン１２、１２で枢支された支柱１３と、前記左右の回動ホルダー８、８に後端部が複数本のビス１４等によって固定状態で取付けられ、前記目地部２のほぼ４分の１を前記少なくとも２個以上の中央維持リンク１１、１１の前面に支持されるように覆う先端部の所定部位に前方へ突出するストッパ片１５、１５が形成された左右の固定目地カバー１６、１６と、前記支柱１３の前面で前記左右の固定目地カバー１６、１６のストッパ片１５、１５の位置していない部位に、該左右の固定目地カバー１６、１６の先端部が入り込める支持台１７を介して固定されるガイドレール１８、１８に左右方向にスライド移動可能に取付けられた複数対の左右のスライド体１９、１９と、この複数対の左右のスライド体１９、１９の左方向、右方向にスライドするものにそれぞれ後端部が皿ビス２０等によって固定された先端部に、前記左右の固定目地カバー１６、１６のストッパ片１５、１５と係止する７字状の係止片２１、２１を有する左右のスライド目地カバー２２、２２と、前記支柱１３の前面に固定された複数個の支持片２３にほぼ中央部が複数本のビス２４等によって固定された前記左右のスライド目地カバー２２、２２の先端部を除く部位を覆う中央固定目地カバー２５と、前記複数対の左右のスライド体１９、１９を前記左右のスライド目地カバー２２、２２を常時収納方向に付勢スプリング２６、２６を用いて付勢する左右の付勢機構２７、２７とで構成されている。
【００１５】
前記取付具７、７は図４に示すように、前記内壁躯体３ａに複数本のビス６等によって固定される複数本のビス挿入孔２８が形成された固定板２９と、この固定板２９の一端部よりほぼ４５度傾斜するように突出し、先端部が玉縁形状に形成された軸３０が形成された取付片３１とで構成されている。
【００１６】
前記左右の回動ホルダー８、８は図５に示すように、クランク状に形成された回動ホルダー本体３２と、この回動ホルダー本体３２のほぼ中央部の外側面に一体形成されたＣ字状の前記軸３０を回動可能に支持する軸受部３３と、前記回動ホルダー本体３２の後端部と一体形成された、該後端部より内側へ直角方向に突出し、先端部が外側へ直角方向に突出するＬ字状の左右の固定目地カバー支持片３４とで構成されている。
【００１７】
前記左右の固定目地カバー１６、１６は図６に示すように、ほぼ目地部２の幅寸法の４分の１の幅寸法の板状の固定目地カバー本体３５と、この固定目地カバー本体３５の先端部に前方へ突出するように所定部位に形成されたストッパ片１５と、前記固定目地カバー本体３５の後端部に一体形成された後方へＬ字状に突出する取付片３６とで構成されている。
【００１８】
前記複数対の左右のスライド体１９、１９は図７に示すように、リップミゾ形鋼形状のガイドレール１８内を複数個のローラ３７を介してスライド移動する、該ガイドレール１８の開口部１８ａより前部が外方へ突出するスライド体本体３８と、このスライド体本体３８の上下部に形成された前記ガイドレール１８からの脱落を防止する脱落防止片３９、３９とで構成されている。
【００１９】
前記左右の付勢機構２７、２７は図８に示すように、前記スライド体本体３８の先端部のガイドレール１８より突出する部位に固定された一方のスプリング係止片４０と、前記ガイドレール１８の前記スライド体本体３８の先端部と反対側部位に固定された他方のスプリング係止片４１と、この他方のスプリング係止片４１に一端部が取付けられ、他端部が前記一方のスプリング係止片４０に取付けられた付勢スプリング２６とで構成されている。
【００２０】
上記構成の壁用目地装置１は、通常時には図１ないし図３に示すように左右の付勢機構２７、２７によって左右のスライド目地カバー２２、２２は先端部を除く部位が中央固定目地カバー２５内に収納された状態になっている。
【００２１】
地震等によって左右の建物３、３が異なる左右方向に揺れ動き、目地部２が広くなると、図９に示すように少なくとも２個以上の中央維持リンク１１、１１が伸長し、左右の固定目地カバー１６、１６が左右の回動ホルダー８、８と一体になって左右方向に移動する。
この左右の固定目地カバー１６、１６の左右方向の移動によって、該左右の固定目地カバー１６、１６の先端部のストッパ片１５、１５と係止する係止片２１、２１によって左右のスライド目地カバー２２、２２が左右の付勢機構２７、２７の付勢力に抗して、左右方向に突出して中央固定目地カバー２５と左右の固定目地カバー１６、１６との間に生じる隙間を左右のスライド目地カバー２２、２２で覆う。
揺れ動きが停止すると元の状態に自動的に戻る。
【００２２】
目地部２が狭くなるように左右の建物３、３が揺れ動いた場合には、図１０に示すように少なくとも２個以上の中央維持リンク１１、１１が収縮し、左右の固定目地カバー１６、１６の先端部が中央維持リンク１１、１１と複数対のガイドレール１８、１８との間に入り込んで、その揺れ動きを吸収する。
【００２３】
左右の建物３、３が異なる前後方向に揺れ動いた場合、図１１に示すように左右の回動ホルダー８、８が回動するとともに、少なくとも２個以上の中央維持リンク１１、１１の伸縮および左右のスライド目地カバー２２、２２の伸縮によって、その揺れ動きを吸収する。
｛発明を実施するための異なる形態｝
【００２４】
次に、図１２ないし図１９に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２５】
図１２ないし図１５に示す本発明を実施するための第２の形態において、前記本発明を実施するための最良の第１の形態と主に異なる点は、両端部が枢支ピン９、９で左右の回動ホルダー８、８に枢支された四角枠状のリンク本体４２と、このリンク本体４２の一方の対向するバー部材４２ａ、４２ａのほぼ中央部に両端部が枢支ピン４３、４３で枢支された中央部に中央枢支部１０が形成された中央バー部材４４とからなる中央維持リンク１１Ａ、１１Ａを用いるとともに、ほぼリップミゾ形鋼形状のガイドレール１８の先端部の係支片１８ｂ、１８ｂと係合するスライドレール４５と、このスライドレール４５に複数本のビス４６によって固定されたスライド体本体３８Ａとからなる複数対の左右のスライド体１９Ａ、１９Ａを用いた点で、このような中央維持リンク１１Ａ、１１Ａと複数対の左右のスライド体１９Ａ、１９Ａを用いて構成した壁用目地装置１Ａにしても、前記本発明を実施するための最良の第１の形態と同様な作用効果が得られる。
【００２６】
図１６ないし図１９に示す本発明を実施するための第３の形態において、前記本発明を実施するための最良の第１の形態と主に異なる点は、ガイドレール１８側の背面に凹部４７が形成されたスライド体本体３８Ｂと、このスライド体本体３８Ｂの凹部４７内に位置するように一端部が、該スライド体本体３８Ｂの一端に取付けられた一方のスプリング係止片４０で係止され、他端部がガイドレール１８の他端部に取付けられた他方のスプリング係止片４１で係止された付勢スプリング２６を用いた左右の付勢機構２７Ａ、２７Ａを用いるとともに、一方の取付片４８がへの字状に形成された蝶番状の左右の回動ホルダー８Ａ、８Ａを用いた点で、このように構成された壁用目地装置１Ｂにしても、前記本発明を実施するための最良の第１の形態と同様な作用効果が得られる。
【産業上の利用可能性】
【００２７】
本発明は壁用目地装置を製造する産業および、これを設置する産業で利用される。
【図面の簡単な説明】
【００２８】
【図１】本発明を実施するための最良の第１の形態の正面図。
【図２】本発明を実施するための最良の第１の形態の背面図。
【図３】図１の３−３線に沿う拡大断面図。
【図４】本発明を実施するための最良の第１の形態の取付具の説明図。
【図５】本発明を実施するための最良の第１の形態の左右の回動ホルダーの説明図。
【図６】本発明を実施するための最良の第１の形態の左右の固定目地カバーの説明図。
【図７】本発明を実施するための最良の第１の形態の左右のスライド体の説明図。
【図８】本発明を実施するための最良の第１の形態の左右の付勢機構の説明図。
【図９】本発明を実施するための最良の第１の形態の目地部が広くなる動作説明図。
【図１０】本発明を実施するための最良の第１の形態の目地部が狭くなる動作説明図。
【図１１】本発明を実施するための最良の第１の形態の異なる前後方向の動作説明図。
【図１２】本発明を実施するための第２の形態の正面図。
【図１３】本発明を実施するための第２の形態の背面図。
【図１４】図１２の１４−１４線に沿う拡大断面図。
【図１５】本発明を実施するための第２の形態の左右のスライド体の説明図。
【図１６】本発明を実施するための第３の形態の正面図。
【図１７】本発明を実施するための第３の形態の背面図。
【図１８】図１６の１８−１８線に沿う拡大断面図。
【図１９】本発明を実施するための第３の形態の左右のスライド体の説明図。
【符号の説明】
【００２９】
１、１Ａ、１Ｂ：壁用目地装置、
２：目地部、                        ３：建物、
３ａ：壁躯体、                    ４：床用目地装置、
５：天井用目地装置、        ６：ビス、
７：取付具、                                    
８、８Ａ：左右の回動ホルダー、
９：枢止ピン、                    １０：中央枢支部、
１１：中央維持リンク、    １２：枢支ピン、
１３：支柱、                                    １４：ビス、
１５：ストッパ片、                        １６：左右の固定目地カバー、
１７：支持台、                    １８：ガイドレール、
１９、１９Ａ：左右のスライド体、
２０：皿ビス、                    ２１：係止片、
２２：左右のスライド目地カバー、
２３：支持片、                    ２４：ビス、
２５：中央固定目地カバー、
２６：付勢スプリング、    ２７、２７Ａ：左右の付勢機構、
２８：ビス挿入孔、                        ２９：固定板、
３０：軸、                            ３１：取付片、
３２：回動ホルダー本体、３３：軸受部、
３４：左右の固定目地カバー支持片、
３５：固定目地カバー本体、
３６：取付片、                    ３７：ローラ、
３８、３８Ａ、３８Ｂ：スライド体本体、
３９：脱落防止片、                        
４０：一方のスプリング係止片、
４１：他方のスプリング係止片、
４２：リンク本体、                        ４３：枢支ピン、
４４：中央バー部材、        ４５：スライドレール、
４６：ビス、                                    ４７：凹部、
４８：取付片。
【図１】
2005042467.tif 000003
【図２】
2005042467.tif 000004
【図３】
2005042467.tif 000005
【図４】
2005042467.tif 000006
【図５】
2005042467.tif 000007
【図６】
2005042467.tif 000008
【図７】
2005042467.tif 000009
【図８】
2005042467.tif 000010
【図９】
2005042467.tif 000011
【図１０】
2005042467.tif 000012
【図１１】
2005042467.tif 000013
【図１２】
2005042467.tif 000014
【図１３】
2005042467.tif 000015
【図１４】
2005042467.tif 000016
【図１５】
2005042467.tif 000017
【図１６】
2005042467.tif 000018
【図１７】
2005042467.tif 000019
【図１８】
2005042467.tif 000020
【図１９】
2005042467.tif 000021